(57)【要約】【課題】パネル本体を係止して設置するための壁面側の受け金具の取付位置を迅速に決定でき、かつ取り扱いもしやすい内装パネルを提供する。【解決手段】複数の受け金具３０のうち、壁面２の上下鉛直方向に取り付けされる複数の受け金具３０は、折り畳み可能な長尺連結部材３を介して、パネル本体１０の裏面１１における上下鉛直方向の引掛け金具２０の取付位置間隔に対応させて連結されている。【選択図】図１
2011069454.tif 000002
【特許請求の範囲】
【請求項１】
パネル本体と、該パネル本体の裏面に取り付けされる複数の引掛け金具と、壁面に取り付けされる、それらの複数の引掛け金具に対応した複数の受け金具とを備えた内装パネルであって、
上記複数の受け金具のうち、壁面の上下鉛直方向に取り付けされる複数の受け金具を、折り畳み可能な長尺連結部材を介して、上記パネル本体の裏面における上下鉛直方向の引掛け金具の取付位置間隔に対応させて連結していることを特徴とする内装パネル。
【請求項２】
請求項１において、
上記長尺連結部材は薄フィルムで形成されている内装パネル。
【請求項３】
請求項１において、
上記長尺連結部材は糸で形成されている内装パネル。
【発明の詳細な説明】
【技術分野】
【０００１】
本発明は、室内の壁面に設置される内装パネルに関する。
【背景技術】
【０００２】
従来の内装パネルとしては、パネル本体の裏面に引掛け金具を固定し、一方、壁面には引掛け金具を係止する係止片を備えた受け金具を固定して、パネル本体に固定した引掛け金具を受け金具の係止片に引掛けて壁面に取り付けるようにしたものが一般に知られている。
【０００３】
このような引掛け金具は、パネル本体の裏面の上下左右の複数箇所に取り付けられることが通例であり、この引掛け金具の位置に合わせて、壁面にも対応した複数の受け金具を固定する必要がある。
【０００４】
したがって、当然に、受け金具は引掛け金具の位置に対応させて壁面に正確に位置決めして取り付けされなければならないが、受け金具を引掛け金具の取付位置の間隔に合わせて帯状のプレート等にあらかじめ固定したものを用意しておけば、現場における受け金具の位置決め作業を軽減することができる（例えば、特許文献１参照）。
【先行技術文献】
【特許文献】
【０００５】
【特許文献１】特開２０００−１２９８５４号公報
【発明の概要】
【発明が解決しようとする課題】
【０００６】
ところで、壁面側の金具取付の位置決め作業には、金具間隔を正しく定めることに加えて、方向、特に鉛直方向についても正しく定めることが必要とされる。
【０００７】
この鉛直方向の測定には微妙な調整を必要とするが、上記の帯状のプレートによる位置決め方法では、現場において受け金具の取付位置間隔の測定作業を行う必要はないものの、鉛直方向の微妙な測定作業を効率的に行えるものとはなっていないため、現場での取付作業に時間を要するおそれがある。また、帯状のプレートは金属、合成樹脂等の硬質材料で製されているため、縦長のパネル本体に対応させたものは自ずと長尺のものとなってしまい、保管、搬送などの取り扱いがしにくくなるといった問題もある。
【０００８】
本発明は、このような事情を考慮して提案されたもので、その目的は、パネル本体を係止して設置するための壁面側の受け金具の取付位置を迅速に決定でき、かつ取り扱いもしやすい内装パネルを提供することにある。
【０００９】
また、壁面と内装パネルとの隙間間隔が大きくなることなく、施工後に見映えのよい内装パネルを提供することを第２の目的としている。
【課題を解決するための手段】
【００１０】
上記目的を達成するために、本発明に係る内装パネルは、パネル本体と、パネル本体の裏面に取り付けされる複数の引掛け金具と、壁面に取り付けされる、それらの複数の引掛け金具に対応した複数の受け金具とを備えた内装パネルであって、複数の受け金具のうち、壁面の上下鉛直方向に取り付けされる複数の受け金具を、折り畳み可能な長尺連結部材を介して、パネル本体の裏面における上下鉛直方向の引掛け金具の取付位置間隔に対応させて連結していることを特徴とする。
【００１１】
このように折り畳み可能な長尺連結部材を使用するので、この長尺連結部材に受け金具を取り付けてから、長尺連結部材の上部を壁面に固定して下方に垂らせば、重力で容易に鉛直方向を測定することができ、現場での位置決め作業の手間を省くことができる。もちろん受け金具は事前に引掛け金具の取付位置に合わせて長尺連結部材に取り付けておけるので、現場で受け金具の取付位置の間隔を測定をする必要もない。また、長尺連結部材は折り畳み可能であるため、保管、搬送などの取り扱いにおいても便利である。
【００１２】
また、本発明に係る内装パネルは、長尺連結部材が薄フィルムまたは糸で形成されたものとしてもよい。
【００１３】
このような構成によれば、長尺連結部材の厚みがほとんどないため、壁面と内装パネルとの隙間間隔を小さくして施工後の見映えをよくすることができる。特に、パネル本体に金具収容凹所を設けたものでは、パネル本体を壁面にほぼ密着させることもできる。
【発明の効果】
【００１４】
本発明に係る内装パネルは、上記のような構成とすることで、パネル本体を係止して設置するための壁面側の受け金具の取付位置を迅速に決定でき、現場における作業の効率化が図れる。また、長尺連結部材は折り畳むことができるので取り扱いもしやすい。
【図面の簡単な説明】
【００１５】
【図１】本発明に係る内装パネルの実施形態を示した、内装パネルの施工状態の斜視図および部分拡大斜視図である。
【図２】受け金具の取付説明図である。
【図３】（ａ）、（ｂ）は同内装パネルの施工手順を示す部分縦断面図である。
【図４】（ａ）、（ｂ）は同内装パネルの施工手順を示す部分縦断面図である。
【発明を実施するための形態】
【００１６】
以下に、本発明の実施形態について、添付図面を参照しながら説明する。
【００１７】
以下に示す内装パネルは、室内の壁面に設置されるパネルであり、サウンドパネル、空気清浄パネル、輻射暖房パネル、光パネル等の薄型機能パネルが内装パネルとして適用できる。
【００１８】
図１〜図４は、本発明に係る内装パネルの実施形態の説明図である。図１は、同内装パネルの施工状態の斜視図および部分拡大斜視図である。図２は、受け金具の取付説明図であり、内装パネルの構成部材である受け金具を、同じく構成部材である長尺連結部材に固定して、その上部に配された受け金具を壁面に取り付けた状態を模式的に示している。また、図３（ａ）、（ｂ）は同内装パネルの施工手順を示す部分縦断面図、図４（ａ）、（ｂ）は同内装パネルの施工手順を示す部分縦断面図である。
【００１９】
この内装パネル１は、壁面２に取り付けされる縦長の薄型機能パネルであって、パネル本体１０と、そのパネル本体１０を壁面２に取り付けるための複数組の係止金具と、壁面側に取り付ける金具を等間隔に固定する長尺連結部材３とを含んで構成されている。パネル本体１０の裏面１１の複数個所（図例ではパネル本体１０の左右端に３箇所ずつ計６箇所）には、後述する２種の係止金具を相互係止させた状態で収容させるための上下左右に配列された複数の金具収容凹所１２が形成されている。
【００２０】
金具収容凹所１２は、２種の係止金具を係止させた状態で、そのほぼ全体を収容できる程度の深さ（奥行き）寸法と、相互係止作業が可能な程度の上下寸法を必要とする。なお、幅寸法については、係止金具を収容できるものであれば十分に幅広のものでもよいが、本実施形態では、パネル本体１０に十分な強度を持たせるために、係止金具の幅寸法よりもやや幅広としている。
【００２１】
係止金具は、パネル本体１０に取り付けされる引掛け金具２０と、壁面２に取り付けされる受け金具２０とより構成されており、これらは現場での施工の際にパネル本体１０および壁面２に取り付けて使用すればよいが、引掛け金具２０は事前に金具収容凹所１２内に収容固定しておくことが、現場作業を効率的に行うためには望ましい。
【００２２】
引掛け金具２０は、ビス等で金具収容凹所１２の底面１２ａの上端部に固定される、取付孔を有した固定部２１と、受け金具３０と相互に係止される引掛け片２２とを備えている。この引掛け片２２は、上部に配された逆「く」字形の折曲押圧片２２ａと、下部に配されたガイド片２２ｂとを備えて全体として板ばねを構成し、折曲押圧片２２ａの下端折曲部２２ａａ（ガイド片２２ｂの基端部）が底面１２ａとの間にわずかな隙間を開けた状態で、金具収容凹所１２内に固定されている。この引掛け金具２０を壁面２に固定された受け金具３０に係止させたときには、引掛け片２２が板ばねとして作用して、折曲押圧片２２ａの下端部２２ａａが復帰弾性力でもって金具収容凹所１２の底面１２ａとの間に受け金具３０を挟持するようになっている。
【００２３】
一方、受け金具３０は、取付孔３１ａを介してビス等で壁面２に固定される基部片３１と、この基部片３１より壁面２前方かつ上方に延設され、パネル本体１０に取り付けされた引掛け金具２０の引掛け片２２を引掛け挿入させるための、壁面２との間に形成される挿入口３４を形成させる係止片３２とを備えている。本実施形態では、この係止片３２は、基部片３１の上端から上方に傾斜した傾斜部３２ａと、その傾斜部３２ａの上端から真上に延びた起立部３２ｂとより構成されている。
【００２４】
さらに受け金具３０は、基部片３１の下端近傍に、基部片３１の幅方向の両端よりパネル本体１０の裏面１１側に向けて突出した一対の突片よりなる突部３３を備えている。この突部３３は、壁面２から壁面２に取り付けた受け金具３０の係止片３２の前方面３２ｂａまでの水平方向の距離Ｄ（図３（ａ）参照）とほぼ同寸法とし、かつ、パネル本体１０を壁面２に取り付けたときに、全体が金具取付凹部１２内に収容される。
【００２５】
このような複数の受け金具３０は、図１に示すように、上下方向の複数の受け金具３０を連結することのできる長尺連結部材３を介して、壁面２に取り付けされる。
【００２６】
この長尺連結部材３は、合成樹脂等で製された柔軟な薄フィルムであり、伸縮しない材料を使用することが望ましい。また、長尺連結部材３の幅寸法は、図１に示したように受け金具３０の幅寸法と同程度であればよく、さらに幅狭であってもよい。また、長さ寸法は、上下方向の複数の受け金具３０を引掛け金具２０の取付位置間隔に対応して取り付けられる長さがあればよいが、壁面２にパネル本体１０を取り付けたときにパネル本体１０の上下よりはみ出ないように、パネル本体１０の縦寸法よりも短くするほうが望ましい。
【００２７】
例えば出荷前などに、あらかじめこの長尺連結部材３に、複数の受け金具３０のうち壁面２の上下鉛直方向に取り付けるものを引掛け金具２０の上下間隔に合わせて同じ間隔で固定しておき、現場での施工の際には、長尺連結部材３と受け金具３０とを一体化したものをそのまま壁面２に取り付けるようにする。
【００２８】
このとき、まず、図２に示すように長尺連結部材３の上部に配された受け金具３０のみを位置合わせしたうえで、長尺連結部材３の上端を壁面２に一点で固定するか、あるいは、上部に配された受け金具３０のみを正しい位置に固定する。そうすると、長尺連結部材３には複数の受け金具３０が取り付けてあるから、図２に示すように、長尺連結部材３は重力によってそれらの受け金具３０とともに下方に垂れ下がり、振り子のような左右の揺動を繰り返すが、その後、長尺連結部材３は揺動が止まり、鉛直方向に停止する。
【００２９】
このように揺動が停止した後に順次、受け金具３０を壁面２に固定していき、さらに他の列についても同様の作業を順次行い、受け金具３０を壁面２に固定していけばよい。
【００３０】
このように、柔軟な長尺連結部材３を用いて上記のような手順で受け金具３０をまとめて壁面２に取り付けるようにしているため、重力で鉛直方向を簡単に正しく測定することができ、壁面２上の位置決めを効率的に行うことができる。
【００３１】
また、長尺連結部材３は折り畳み可能な材料で製されているから、適所で折り曲げることができ、そのため折り畳んだ状態で不便なく、保管、搬送等の取り扱いができる。
【００３２】
さらに、本実施形態では長尺連結部材３が薄フィルムで形成されているので、厚みはほとんどないに等しく、後述する図３および図４に示すように、長尺連結部材３の厚みによって、壁面２とパネル本体１０との隙間間隔が大きくなることはなく、よって長尺連結部材３によって美観が損ねられるおそれはない。
【００３３】
ついで、図３および図４を参照しながら、内装パネル１の壁面２への施工手順について説明する。
【００３４】
まず、長尺連結部材３に取り付けた受け金具３０を、図２に示した方法でパネル本体１０の裏面１１の金具収容凹所１２の位置に合致するように壁面２に固定しておき、金具収容凹所１２に引掛け金具２０を収容固定したパネル本体１０を、引掛け金具２０の位置と、受け金具３０の位置とが概ね合うように壁面２の前方より近づけていく（図３（ａ）参照）。
【００３５】
パネル本体１０をさらに壁面２に近づけ、受け金具３０の係止片３２をパネル本体１０の裏面１１位置まで移動させると（図３（ｂ）参照）、金具収容凹所１２と受け金具３０の位置が合っていれば、図４（ｂ）に示すように、引掛け金具２０と受け金具３０とは金具収容凹所１２内の適切な位置関係に配されるが、そうでない場合は、パネル本体１０の裏面１１が壁面２に固定した受け金具３０の前方面３２ｂａにほぼ接した状態となり（図３（ｂ）参照）、その位置でパネル本体１０を上下左右に動かしながら、正しい位置を探すことになる。
【００３６】
このとき、受け金具３０の係止片３２の前方面３２ｂａがパネル本体１０の裏面１１に接した状態となるが、受け金具３０の基部片３１に形成された一対の突片（突部３３）の先端３３ａもパネル本体１０の裏面１１に接する。そして、この突片がパネル本体１０の壁面２側への押圧を規制することになるため、それ以後は、パネル本体１０を壁面２側へ押し付けたとしても、受け金具３０の係止片３２には、折れ曲がったり変形したりするほどの押圧力は付加されず、係止片３２を保護することができる。
【００３７】
こうした位置合わせ作業をしながら、受け金具３０が金具収容凹所１２内の引掛け金具２０よりも下方の空間に入り込むと、その後、パネル本体１０を下方にずらすことで引掛け金具２０の引掛け片２２が受け金具３０の挿入口３４より係止片３２と壁面２との間の空間に挿入される。このとき、引掛け金具２０の下端には外側に開いたガイド片２２ｂが形成されているため、図４（ａ）のように受け金具３０が完全に金具収容凹所１２内に収容されていない状態でも、パネル本体１０の下方へのずらし操作によって、受け金具３０の係止片３２の上端が引掛け金具２０のガイド片２２ｂの裏側に接触しながら、係止片３２は金具取付凹所１２の底面１２ａと引掛け金具２０の引掛け片２２との間の空間に入り込み、それと同時に板ばねとして形成された引掛け片２２は、壁面２側にやや弾性変形した状態で挿入口３４から下方に向かって入り込んでいく。
【００３８】
そうして、引掛け片２２の基端部２２ｃの裏側が受け金具３０の係止片３２の先端に当て止めされ、それとほぼ同時に、ガイド片２２ｂが受け金具３０の傾斜部３２ａに面接触すると、引掛け金具２０と受け金具３０の相互の係止が完了して、パネル本体１０は壁面２に正しく設置される。
【００３９】
この場合、上記面接触が、受け金具３０の係止片３２の先端による規制タイミングよりもやや早くなるように相互の金具の長さ寸法が調整されていれば、図４（ｂ）に示すように、引掛け片２２が係止片３２の先端により当て止めされるまでの間、引掛け金具２０のガイド片２２ｂは、その先端が壁面２に到達するまで傾斜部３２ａの上面を滑ってゆき、その結果、引掛け片２２は壁面２側へ弾性変形した状態となる。
【００４０】
したがって、このような状態が保持されると、その状態では引掛け片２２の復帰弾性力が作用して、引掛け片２２はパネル本体１０を裏面１１側より押圧しようとし、その結果、金具収容凹部１２の底面１２ａとの間で受け金具３０の係止片３２を強力に挟み込むので、パネル本体１０は壁面２に安定的に固定される。
【００４１】
本実施形態では、パネル本体１０に金具収容凹所１２を設けているので、パネル本体１０を壁面２に正しく取り付けた状態では、両方の係止金具を金具収容凹所１２に壁面２方向に突出させることなく収容でき、さらに長尺連結部材３が薄フィルムで形成されているため、図４（ｂ）に示すように、パネル本体１０と壁面２との間には長尺連結部材３のみが挟み込まれることになるから、パネル本体１０を壁面２にほぼ密着した状態に設置することができる。
【００４２】
以上の実施形態では、長尺連結部材３として薄フィルムを示したが、伸縮性がなく、かつ折り畳み可能で受け金具を鉛直下方にぶら下げることができる材料であれば他のものでもよく、例えば、糸や紐、両面テープなども使用できる。
【符号の説明】
【００４３】
１      内装パネル
２      壁面
３      長尺連結部材
１０      パネル本体
１１      裏面
１２      金具収容凹所
２０      引掛け金具
２１      固定部
２２      引掛け片
２２ａ      折曲押圧片
２２ｂ      ガイド片
２２ｃ      基端部
３０      受け金具
３１      基部片
３１ａ      取付孔
３２      係止片
３２ａ      傾斜部
３２ｂ      起立部
３３      突部
３４      挿入口
【図１】
2011069454.tif 000003
【図２】
2011069454.tif 000004
【図３】
2011069454.tif 000005
【図４】
2011069454.tif 000006